(57)【要約】【課題】ボード材と下地材とを有する天井材を、横並びの状態で設けられた複数の支持部材の各々に適切に支持させる。【解決手段】ボード材５とボード材５の上面に取り付けられた野縁６とを有する天井パネル２と、横並びの状態で複数設けられた野縁受け３と、を備える天井１において、野縁受け３は、野縁受け３間の空間Ｖに向かって突出した突出部７を有し、空間Ｖ内に野縁６が入り込み、且つ、野縁６の延出方向端部をなす野縁側突出部８が突出部７上に載ることで、ボード材５の外縁部が野縁受け３に締結される位置に至っている。【選択図】図５
2019060172.tif 000002
【特許請求の範囲】
【請求項１】
ボード材と、該ボード材の上面に取り付けられた下地材と、を有する天井材と、
横並びの状態で複数設けられ、前記天井材を支持するために前記ボード材の外縁部が締結される支持部材と、を備え、
該支持部材は、該支持部材間の空間に向かって突出した突出部を有し、
前記空間内に前記下地材が入り込み、且つ、前記下地材の延出方向における前記下地材の端部が前記突出部上に載ることで、前記ボード材の外縁部が前記支持部材に締結される位置に至っていることを特徴とする建物の天井。
【請求項２】
前記延出方向における前記下地材の端部は、前記延出方向の外側に向かって突出した下地材側突出部であり、
前記下地材側突出部の上面は、前記延出方向の外側に向かうにつれて下がるように傾斜した傾斜面であることを特徴とする請求項１に記載の建物の天井。
【請求項３】
前記支持部材は、長尺体によって構成されており、
前記突出部の上面は、前記支持部材の長手方向において前記突出部の一端から他端に向かうにつれて下がるように傾斜した傾斜面であり、
前記下地材側突出部の下面は、前記突出部の上面に前記下地材側突出部が載った際に前記突出部の上面に沿うように傾斜した傾斜面であることを特徴とする請求項２に記載の建物の天井。
【請求項４】
複数の前記支持部材の各々には、前記突出部が前記長手方向に沿って並んだ状態で複数設けられており、
複数の前記支持部材の各々は、前記長手方向において、複数の前記支持部材の各々における前記突出部の配置位置が前記支持部材間で揃うように設置されていることを特徴とする請求項３に記載の建物の天井。
【請求項５】
前記延出方向における前記下地材の両端部の各々が前記下地材側突出部であり、
それぞれの前記下地材側突出部は、前記空間を挟んで隣り合う一対の前記支持部材のうち、より近くに位置する前記支持部材の前記突出部上に載ることを特徴とする請求項４に記載の建物の天井。
【請求項６】
前記ボード材の上面には、前記下地材が前記延出方向と交差する方向に並んだ状態で複数設けられており、
複数の前記下地材の各々の、前記延出方向における端部が前記下地材側突出部であることを特徴とする請求項４又は５に記載の建物の天井。
【請求項７】
前記ボード材の外縁部は、前記延出方向において前記下地材の端部よりも外側に張り出しており、前記延出方向において前記空間の外側で前記支持部材に締結されることを特徴とする請求項１乃至６のいずれか一項に記載の建物の天井。
【請求項８】
前記支持部材の間に配置されて前記支持部材同士を連結する横架材を有し、
前記ボード材の外縁部のうち、前記支持部材の直下に位置する部分が前記支持部材に締結され、前記横架材の直下に位置する部分が前記横架材に締結されることを特徴とする請求項１乃至７のいずれか一項に記載の建物の天井。
【請求項９】
前記延出方向における前記下地材の端部が前記突出部上に載った状態では、前記突出部が、上下方向において、前記延出方向における前記下地材の端部と前記ボード材との間に挟まれた位置にあることを特徴とする請求項１乃至８のいずれか一項に記載の建物の天井。
【請求項１０】
ボード材と、該ボード材の上面に取り付けられた下地材と、を有する天井材を、該天井材を支持するために横並びの状態で複数設けられた支持部材に近付けるように持ち上げる工程と、
前記支持部材間の空間内に前記下地材が入り込む位置まで前記天井材を持ち上げた後、前記空間に向かって突出した前記支持部材の突出部上に、前記下地材の延出方向における前記下地材の端部が載るように前記天井材を水平移動させる工程と、
前記空間内に前記下地材が入り込み、且つ、前記延出方向における前記下地材の端部が前記突出部上に載ることによって前記ボード材の外縁部が前記支持部材に締結される位置に至った後、前記ボード材の外縁部を前記支持部材に締結して前記天井材を前記支持部材に支持させる工程と、
を有することを特徴とする建物の天井の施工方法。
【発明の詳細な説明】
【技術分野】
【０００１】
本発明は、建物の天井及び建物の天井の施工方法に係り、特に、ボード材と下地材とを有する天井材を、横並びの状態で複数設けられた支持部材の各々に支持させることで構築される建物の天井、及び当該建物の天井の施工方法に関する。
【背景技術】
【０００２】
ボード材と下地材とを有する天井材を、横並びの状態で複数設けられた支持部材の各々に支持させることで建物の天井を構築する方法は、既に知られている。その一例としては、特許文献１に記載された天井の施工方法が挙げられる。
【０００３】
特許文献１に記載された天井の施工方法では、単位面積の方形板の裏面に複数のリブを適当な間隔毎に配置してリブ付きパネルを形成する。また、天井パネルの取り付けレベル面における四周に天井パネルの支持部材（特許文献１では、下地材）を配設すると共に、リブ付きパネルのリブと直交する両側縁を支持する支持部材を一方向にのみ向けて平行に配設する。そして、各支持部材にリブ付きパネルを締結（固定）する。
【先行技術文献】
【特許文献】
【０００４】
【特許文献１】特開平０５−２９５８４７号公報
【発明の概要】
【発明が解決しようとする課題】
【０００５】
上述した特許文献１に記載の天井の施工方法では、支持部材の下方でリブ付きパネルを持ち上げ、支持部材の下面にリブ付きパネルが当接した状態で、リブ付きパネルの両側縁を支持部材に締結する。このとき、リブ付きパネルの両側縁が支持部材に締結される位置からずれていると、リブ付きパネルが支持部材に適切に締結されない虞がある。
【０００６】
そこで、本発明は、上記の課題に鑑みてなされたものであり、その目的とするところは、ボード材と下地材とを有する天井材を、横並びの状態で設けられた複数の支持部材の各々に適切に支持させることで構成される建物の天井を提供することである。
また、本発明の他の目的は、ボード材と下地材とを有する天井材を、横並びの状態で設けられた複数の支持部材の各々に適切に支持させることが可能な建物の天井の施工方法を提供することである。
【課題を解決するための手段】
【０００７】
前記課題は、本発明の建物の天井によれば、（Ａ）ボード材と、該ボード材の上面に取り付けられた下地材と、を有する天井材と、（Ｂ）横並びの状態で複数設けられ、前記天井材を支持するために前記ボード材の外縁部が締結される支持部材と、を備え、（Ｃ）該支持部材は、該支持部材間の空間に向かって突出した突出部を有し、（Ｄ）前記空間内に前記下地材が入り込み、且つ、前記下地材の延出方向における前記下地材の端部が前記突出部上に載ることで、前記ボード材の外縁部が前記支持部材に締結される位置に至っていることにより解決される。
【０００８】
上記のように構成された本発明の建物の天井では、ボード材と下地材とを備える天井材を、横並びの状態で複数設けられた支持部材の各々に支持するにあたり、ボード材の外縁部を支持部材に締結する。また、支持部材は、支持部材間の空間に向かって突出した突出部を備えている。そして、上記の空間内に下地材が入り込み、且つ、下地材の延出方向端部が突出部上に載ると、ボード材の外縁部が支持部材に締結される位置に至るようになる。つまり、下地材の延出方向端部が突出部上に載るように天井材を移動させることで、ボード材の外縁部を、支持部材に締結される位置へ適切に導くことが可能となる。この結果、天井材が複数の支持部材の各々に適切に支持されるようになる。
【０００９】
また、上記の建物の天井に関して好適な構成を述べると、前記延出方向における前記下地材の端部は、前記延出方向の外側に向かって突出した下地材側突出部であり、前記下地材側突出部の上面は、前記延出方向の外側に向かうにつれて下がるように傾斜した傾斜面であるとよい。
上記の構成では、下地材側突出部の上面が、下地材の延出方向の外側に向かうにつれて下がるように傾斜している。これにより、天井材を支持部材に向かって持ち上げる際に、天井材が本来の位置（具体的には、支持部材間の空間内に下地材が収まる位置）からずれて下地材側突出部の上面が支持部材の下面に衝突したとしても、傾斜面である下地材側突出部の上面に沿って天井材が移動して本来の位置へ向かうようになる。
【００１０】
また、上記の建物の天井に関してより好適な構成を述べると、前記支持部材は、長尺体によって構成されており、前記突出部の上面は、前記支持部材の長手方向において前記突出部の一端から他端に向かうにつれて下がるように傾斜した傾斜面であり、前記下地材側突出部の下面は、前記突出部の上面に前記下地材側突出部が載った際に前記突出部の上面に沿うように傾斜した傾斜面であるとよい。
上記の状態では、突出部の上面が傾斜面であると共に、下地材側突出部の下面が突出部の上面に沿うように傾斜した傾斜面となっている。これにより、下地材側突出部を突出部上に載せ易くなり、また、下地材側突出部が突出部上に載った状態をより安定して維持することが可能となる。
【００１１】
また、上記の建物の天井に関してさらに好適な構成を述べると、複数の前記支持部材の各々には、前記突出部が前記長手方向に沿って並んだ状態で複数設けられており、複数の前記支持部材の各々は、前記長手方向において、複数の前記支持部材の各々における前記突出部の配置位置が前記支持部材間で揃うように設置されているとよい。
上記の構成では、各支持部材に突出部が複数設けられているため、ボード材の外縁部を、支持部材に締結される位置へより適切に導くことが可能となる。また、各支持部材における突出部の配置位置が支持部材間で揃っているため、下地材の延出方向端部が突出部上に載る位置についても支持部材間で揃うようになる。
【００１２】
また、上記の建物の天井に関して一段と好適な構成を述べると、前記延出方向における前記下地材の両端部の各々が前記下地材側突出部であり、それぞれの前記下地材側突出部は、前記空間を挟んで隣り合う一対の前記支持部材のうち、より近くに位置する前記支持部材の前記突出部上に載るとよい。
上記の構成では、下地材の延出方向両端部の各々が下地材側突出部である。そして、天井材は、両方の下地材側突出部が支持部材の突出部上に載った状態で支持部材に支持される。この結果、より適切に天井材を支持部材に支持することが可能となる。
【００１３】
また、上記の建物の天井に関してより一層好適な構成を述べると、前記ボード材の上面には、前記下地材が前記延出方向と交差する方向に並んだ状態で複数設けられており、複数の前記下地材の各々の、前記延出方向における端部が前記下地材側突出部であるとよい。
上記の構成では、ボード材の上面に複数の下地材が設けられており、各下地材の延出方向端部が下地材側突出部である。そして、天井材は、各下地材の下地材側突出部が突出部上に載った状態で支持部材に支持される。この結果、一段と適切に天井材を支持部材に支持することが可能となる。
【００１４】
また、上記の建物の天井に関して尚一層好適な構成を述べると、前記ボード材の外縁部は、前記延出方向において前記下地材の端部よりも外側に張り出しており、前記延出方向において前記空間の外側で前記支持部材に締結されるとよい。
上記の構成では、ボード材の外縁部が下地材の延出方向端部よりも外側に張り出している。かかる構成の場合、下地材の延出方向端部が突出部上に載ると、ボード材の外縁部が支持部材の直下位置（すなわち、支持部材に締結される位置）に至るようになる。
【００１５】
また、上記の建物の天井に関して益々好適な構成を述べると、前記支持部材の間に配置されて前記支持部材同士を連結する横架材を有し、前記ボード材の外縁部のうち、前記支持部材の直下に位置する部分が前記支持部材に締結され、前記横架材の直下に位置する部分が前記横架材に締結されるとよい。
上記の構成では、ボード材の外縁部のうち、支持部材の直下に位置する部分が支持部材に締結され、横架材の直下に位置する部分が横架材に締結される。このような構成であれば、支持部材及び横架材によって天井材をより適切に支持することが可能となる。
【００１６】
また、上記の建物の天井に関してより好適な構成を述べると、前記延出方向における前記下地材の端部が前記突出部上に載った状態では、前記突出部が、上下方向において、前記延出方向における前記下地材の端部と前記ボード材との間に挟まれた位置にあるとよい。
上記の構成では、下地材の延出方向端部が突出部上に載った状態では、突出部が、上下方向において、下地材の延出方向端部とボード材との間に挟まれている。換言すると、ボード材の上面が突出部の下面に当接する位置まで天井材を持ち上げると、下地材の延出方向端部は、上下方向において、突出部上に載ることが可能な位置（レベル）に到達するようになる。このような構成であれば、下地材の延出方向端部を突出部上に載せる位置へ天井材を移動させる（搬送する）ことがより容易となる。
【００１７】
また、前述の課題は、本発明の建物の天井の施工方法によれば、（Ａ）ボード材と、該ボード材の上面に取り付けられた下地材と、を有する天井材を、該天井材を支持するために横並びの状態で複数設けられた支持部材に近付けるように持ち上げる工程と、（Ｂ）前記支持部材間の空間内に前記下地材が入り込む位置まで前記天井材を持ち上げた後、前記空間に向かって突出した前記支持部材の突出部上に、前記下地材の延出方向における前記下地材の端部が載るように前記天井材を水平移動させる工程と、（Ｃ）前記空間内に前記下地材が入り込み、且つ、前記延出方向における前記下地材の端部が前記突出部上に載ることによって前記ボード材の外縁部が前記支持部材に締結される位置に至った後、前記ボード材の外縁部を前記支持部材に締結して前記天井材を前記支持部材に支持させる工程と、を有することにより解決される。
上記の方法によれば、ボード材の外縁部が支持部材に締結される位置へ天井材を適切に導けるようになり、天井材を複数の支持部材の各々に適切に支持することが可能となる。
【発明の効果】
【００１８】
本発明によれば、建物の天井を構成するにあたり、ボード材と下地材とを有する天井材を、横並びの状態で設けられた複数の支持部材の各々に適切に支持させることができる。これにより、建物の建設工事において、天井材の設置・固定作業を効率よく進めることが可能となる。
【図面の簡単な説明】
【００１９】
【図１】本発明の一実施形態に係る建物の天井の斜視図である。
【図２】天井から天井材を一枚取り外した状態を示す図である。
【図３】支持部材及び横架材の平面図である。
【図４】天井材の平面図である。
【図５】図１のＡ−Ａ断面を示す図である。
【図６】図１のＢ−Ｂ断面を示す図である。
【図７】支持部材に設けられた突出部を拡大して示した斜視図である。
【図８】天井材の下地材の延出方向端部を拡大して示した斜視図である。
【図９】天井施工作業の手順を示す図である。
【図１０】天井材を持ち上げる様子を示す図である。
【図１１】下地材の延出方向端部が支持部材の下部に衝突した状況を示す図である。
【図１２】支持部材に対して天井材を水平移動させる様子を示す図である。
【図１３】天井材の水平移動時における下地材の延出方向端部の動きを示す図である。
【図１４】ボード材の外縁部を支持部材に締結する様子を示す図である。
【発明を実施するための形態】
【００２０】
以下、本発明の一実施形態（以下、本実施形態）に係る建物の天井及び建物の天井の施工方法について説明する。ただし、以下に説明する実施形態は、本発明の理解を容易にするためのものであり、本発明を限定するものではない。すなわち、本発明は、その趣旨を逸脱することなく、変更、改良され得る。また、当然ながら、本発明にはその等価物が含まれ得る。
【００２１】
＜＜建物の天井の概略構成＞＞
先ず、本実施形態に係る建物の天井（以下、天井１）の概略構成について、図１〜図４を参照しながら説明する。図１は、天井１の斜視図である。図２は、図１に図示の天井１から天井パネル２を一枚取り外した状態を示す図である。図３は、後述する野縁受け３及び横架材４の平面図（上方から見た図）である。図４は、後述する天井パネル２の平面図（上方から見た図）である。
【００２２】
なお、以下では、水平方向であって互いに直交する二つの方向のうちの一方を「桁行方向」と呼ぶこととし、もう一方を「梁間方向」と呼ぶこととする。また、以下の説明中、「鉛直方向」は、上下方向に相当する方向である。
また、本項において、各部材の位置、姿勢及び状態等について説明する際には、特に断る場合を除き、天井１が完成した時点での位置、姿勢及び状態等を説明することとする。
【００２３】
天井１は、図１及び図２に示すように、天井材としての天井パネル２と、支持部材としての野縁受け３と、横架材４とを有する。天井パネル２は、面材としてのボード材５を有する。ボード材５は、例えば石膏ボードを方形状に成形することで構成されている。
【００２４】
野縁受け３は、桁行方向に延出する長尺体であり、本実施形態木材（桟木）からなる。ここで、桁行方向は、野縁受け３の長手方向に相当する。また、野縁受け３は、図３に示すように、梁間方向において一定間隔毎に複数配置されている。つまり、本実施形態では、野縁受け３が横並びの状態で複数設けられている。
【００２５】
横架材４は、図３に示すように、野縁受け３間の間隔を揃えるために野縁受け３の間に配置されて野縁受け３同士（支持部材同士）を連結する部材である。横架材４は、木材（桟木）からなり、一定の延出量にて延出している。横架材４は、各野縁受け３に対して略直交するように各野縁受け３に組み付けられており、桁行方向において一定間隔毎に配置されている。すなわち、野縁受け３及び横架材４は、図３に示すように井桁状に組まれており、換言すると、互いに隣り合う二つの野縁受け３と、その間に配置された二つの横架材４と、が矩形枠をなすように各野縁受け３及び各横架材４が配置されている。
【００２６】
そして、天井１は、天井パネル２が野縁受け３及び横架材４に固定支持されることで構成されている。具体的に説明すると、図２に示すように野縁受け３及び横架材４を矩形枠状に組み、野縁受け３及び横架材４の下方位置に天井パネル２のボード材５が位置するように天井パネル２を配置する。その後、ボード材５の四周外縁部（外縁部）を野縁受け３及び横架材４の各々にビスによって締結する。これにより、天井パネル２が野縁受け３及び横架材４によって支持されるようになる。
以上の手順を繰り返し、桁行方向及び梁間方向においてボード材５を敷き詰めることで天井１が構成される。
【００２７】
また、野縁受け３及び横架材４の各々に天井パネル２のボード材５を締結するにあたり、野縁受け３及び横架材４がなす矩形枠の内側空間（以下、空間Ｖ）に、天井パネル２の野縁６が入り込む。野縁６は、下地材に相当し、図４に示すようにボード材５の上面に取り付けられている。野縁６は、鋼材又は木材からなり、図４に示すように梁間方向に沿って延出している。換言すると、梁間方向は、野縁６の延出方向に相当する。
【００２８】
また、本実施形態では、ボード材５一枚あたりに複数の野縁６が取り付けられており、本実施形態では、三つの野縁６が桁行方向（つまり、野縁６の延出方向と交差する方向であり、厳密には、野縁６の延出方向と直交する方向）において一定間隔毎に並んだ状態でボード材５の上面に取り付けられている。
なお、天井パネル２一つあたりの野縁６の個数については、特に制限されるものではなく、少なくとも一つ以上設けられていればよい。
【００２９】
＜＜天井１各部の詳細構成＞＞
次に、天井１各部の詳細構成について、既出の図３及び図４と共に、図５〜図８を参照しながら説明する。図５及び図６は、天井１の断面を示す図であり、図５が図１のＡ−Ａ断面を示しており、図６が図１のＢ−Ｂ断面を示している。図７は、野縁受け３に設けられた突出部７を拡大して示した斜視図である。図８は、野縁６の延出方向端部を拡大して示した斜視図である。
【００３０】
野縁受け３について説明すると、野縁受け３は、図５に示すようにボード材５の上方に位置した状態でボード材５の側縁部（外縁部のうち、梁間方向の端部に位置する部分）がビスＢにて締結されることで、天井パネル２を支持する。
また、野縁受け３は、図３に示すように、桁行方向に沿って長く延出しており、且つ、梁間方向に沿って横並びの状態で複数配置されている。そして、梁間方向において、野縁受け３の間には、天井パネル２の野縁６が入り込む空間Ｖが形成されている。
【００３１】
さらに、各野縁受け３は、図７に示すように、上記の空間Ｖに向かって突出した突出部７を備えている。この突出部７は、梁間方向において野縁受け３の側端面から隣り合う野縁受け３に向かって突出している。なお、梁間方向に並ぶ複数の野縁受け３のうち、梁間方向において最も端寄りに配置された野縁受け３は、図３に示すように、梁間方向における天井パネル２の中央位置に向かって突出した突出部７のみを備えている。それ以外の野縁受け３は、図３に示すように、天井パネル２の中央位置に向かって突出した突出部７と、天井パネル２の中央位置とは反対側に向かって突出した突出部７と、を備えている。
【００３２】
突出部７の形状について説明すると、突出部７は、図６に示すように、側面視で略台形形状をなしている。具体的に説明すると、突出部７の下面は、平坦面であり、ボード材５の上面に接している。突出部７の上面７ａは、図６及び図７に示すように傾斜面となっており、厳密には、桁行方向において突出部７の一端から他端に向かうにつれて下がるように傾斜した傾斜面となっている。また、突出部７の突出量については、所定量（厳密には、後述する野縁側突出部８の突出量と略同じ突出量）となるように設定されている。
なお、突出部７の上面７ａは、傾斜面に限らず、平坦面であってもよい。
【００３３】
また、野縁受け３の間には横架材４が配置されており、横架材４は、桁行方向において一定間隔毎に設けられている。そして、図３に示すように、複数の野縁受け３の各々において、横架材４の間に位置する部分（厳密には、桁行方向において互いに隣り合う二つの横架材４の間に位置する部分）には、突出部７が桁行方向に沿って並んだ状態で複数設けられている。そして、複数の野縁受け３の各々は、桁行方向において、複数の野縁受け３の各々における突出部７の配置位置が野縁受け３間で揃うように設置されている。
【００３４】
より詳しく説明すると、一対の野縁受け３と一対の横架材４によって囲まれる矩形状の空間Ｖ内には、図３に示すように、桁行方向において同一位置にある一対の突出部７が複数組（図３に図示の構成では３組）存在している。また、桁行方向における突出部７の間の間隔は、一定の間隔に設定されている。さらに、上記の空間Ｖは、図３に示すように、桁行方向及び梁間方向の各々において複数形成されており、空間Ｖの間で、当該空間Ｖ内における突出部７の位置が揃っている。つまり、各空間Ｖに配置された６個の突出部７のそれぞれの、基準位置（例えば、空間Ｖの隅位置）に対する位置が空間Ｖの間で統一されている。
なお、空間Ｖ内に設けられる突出部７の個数及びそれぞれの配置位置（厳密には、桁行方向における位置）については、特に限定されるものではなく、任意に設計することが可能であるが、天井パネル２に設けられた野縁６の個数及び配置位置に応じて決められるのが望ましい。
【００３５】
また、本実施形態において、各突出部７は、その上面７ａをなす傾斜面の傾斜度合い及び傾斜向きがすべての突出部７の間で揃うように形成されている。
【００３６】
天井パネル２について説明すると、前述したように、複数の野縁６がボード材５の上面に取り付けられている。そして、複数の野縁６の各々は、図４に示すように、その延出方向の両端部（すなわち、梁間方向における両端部）の各々に野縁側突出部８を備えている。野縁側突出部８は、下地材側突出部に該当し、図８に示すように梁間方向の外側に向かって突出している。
【００３７】
野縁側突出部８の形状について図８を参照しながら説明すると、野縁側突出部８は、梁間方向における野縁６の両端部の各々において対称的に設けられており、その下面８ｂがボード材５の上面から幾分浮くように形成されている。各野縁側突出部８の上面８ａは、図８に示すように、梁間方向（野縁６の延出方向）の外側に向かうにつれて下がるように傾斜した傾斜面となっている。また、各野縁側突出部８の下面８ｂは、図６及び図８に示すように傾斜面となっており、厳密には、桁行方向において野縁側突出部８の一端から他端に向かうにつれて下がるように傾斜した傾斜面となっている。
なお、野縁側突出部８の下面８ｂは、傾斜面に限られず、平坦面であってもよい。
【００３８】
そして、各野縁側突出部８は、天井パネル２を野縁受け３に支持させるにあたり、図６に示すように野縁受け３の突出部７の上に載せられる。具体的に説明すると、本実施形態では、天井パネル２に設けられた複数の野縁６の各々が、野縁受け３と横架材４によって囲まれる矩形状の空間Ｖ内に入り込む。その上で、各野縁６の延出方向両端部をなす野縁側突出部８が野縁受け３の突出部７に載せられる。
【００３９】
より厳密に説明すると、各野縁６が空間Ｖ内に入り込んだ状態で、野縁６の延出方向両端部に設けられた野縁側突出部８の各々が、図５に示すように、空間Ｖを挟んで隣り合う一対の野縁受け３のうち、より近くに位置する野縁受け３の突出部７上に載るようになる。
【００４０】
そして、野縁側突出部８が突出部７上に載ることで、ボード材５の側縁部が野縁受け３に締結される位置に至るようになる。より詳しく説明すると、ボード材５の側縁部は、図５に示すように、梁間方向において野縁側突出部８よりも外側に張り出している。そして、同図に示すように、野縁側突出部８が突出部７上に載せられた状態では、ボード材５の側縁部が野縁受け３（厳密には、野縁受け３のうち、梁間方向において突出部７の脇位置に在る部分）の直下に位置するようになる。
なお、野縁側突出部８が突出部７上に載ることにより、天井パネル２をその時点での位置（すなわち、ボード材５の側縁部を野縁受け３に締結することが可能な位置）にて保持されるようになる。すなわち、野縁側突出部８が突出部７上に載ることで天井パネル２を仮置きすることが可能となる。
【００４１】
以上のように本実施形態では、野縁側突出部８を突出部７上に載せることで、ボード材５の側縁部をその締結位置に向けて案内（ガイド）することが可能である。そして、ボード材５の側縁部が締結位置に至った後、ボード材５の側縁部（すなわち、ボード材５の外縁部のうち、野縁受け３の直下に位置する部分）が野縁受け３にビス留めされる。つまり、ボード材５の側縁部は、梁間方向において空間Ｖの外側で野縁受け３に締結される。この結果、天井パネル２が上記の空間Ｖを挟んで隣り合う一対の野縁受け３によって支持されるようになる。
【００４２】
また、野縁側突出部８が突出部７に載せられた状態では、図６に示すように、ボード材５の外縁部のうちの前後縁部（桁行方向における端部）が横架材４の直下に位置するようになる。そして、ボード材５の側縁部を野縁受け３にビス留めする際に、併せて、ボード材５の前後縁部（すなわち、ボード材５の外縁部のうち、横架材４の直下に位置する部分）が横架材４にビス留めされる。
【００４３】
また、野縁側突出部８が突出部７上に載った状態では、図６に示すように、野縁側突出部８の下面８ｂが突出部７の上面７ａに沿って当該上面７ａと当接する。より詳しく説明すると、傾斜面である野縁側突出部８の下面８ｂは、突出部７上に野縁側突出部８が載った際に当該上面７ａに沿うように（すなわち、上面７ａと平行をなすように）傾斜している。これにより、野縁側突出部８が突出部７に載っている状態が良好に維持される。
【００４４】
以上のように野縁側突出部８が突出部７上に載った状態では、野縁側突出部８の下面８ｂが突出部７の上面７ａに沿って当該上面７ａと当接する。このとき、突出部７は、鉛直方向において、野縁側突出部８の下面８ｂとボード材５との間に挟まれた位置にある。より詳しく説明すると、天井パネル２において、野縁側突出部８の下面８ｂとボード材５とが互いに鉛直方向に離れているため、これらの間には隙間が形成されている。そして、図５に示すように、上記の隙間内に突出部７が入り込むように野縁側突出部８が突出部７上に載る。この結果、突出部７が鉛直方向において野縁側突出部８とボード材５との間に挟まれるようになり、野縁側突出部８が突出部７に載っている状態を一段と良好に維持することが可能となる。
【００４５】
＜＜天井１の施工方法＞＞
次に、上述の如く構成された天井１の施工方法について、図９〜図１４を参照しながら説明する。図９は、天井１を施工する作業（以下、天井施工作業）の手順を示す図である。図１０は、天井パネル２を上方に持ち上げる様子を示す図である。図１１は、天井パネル２を上方に持ち上げた際に野縁側突出部８が野縁受け３の下側角部に衝突した様子を示す図である。図１２は、野縁受け３に対して天井パネル２を水平移動させる様子を示す図である。図１３は、天井パネル２の水平移動時における野縁側突出部８の動きについての説明図である。図１４は、ボード材５の外縁部を野縁受け３にビス留めする様子を示す図である。
【００４６】
以下では、本発明の天井１の施工方法を説明するにあたり、本実施形態に係る天井施工作業の手順について説明することとする。本実施形態に係る天井施工作業では、図９に図示の各ステップ（工程）を順に実施する。具体的に説明すると、天井施工作業では、先ず、ボード材５の上面に野縁６を取り付けて構成された天井パネル２を、その上方に配置された複数の野縁受け３に近付けるように持ち上げるところから始まる（Ｓ００１）。
【００４７】
より詳しく説明すると、天井施工作業の前段階で躯体作業が行われ、当該躯体作業において野縁受け３及び横架材４が井桁状に配置される。すなわち、梁間方向に沿って一定間隔毎に並ぶように複数の野縁受け３を配置し、桁行方向において一定の間隔で横架材４を野縁受け３の間に配置する。その後、天井施工作業を開始し、図１０に図示のリフターＬによって天井パネル２を鉛直方向上方に持ち上げる。このとき、梁間方向において互いに隣り合う二つの野縁受け３の間（すなわち、空間Ｖ）に天井パネル２が位置するように天井パネル２の位置を調整した上で天井パネル２を持ち上げる。
なお、本実施形態では、リフターＬを用いて天井パネル２を持ち上げることとしたが、これに限定されるものではなく、人力によって天井パネル２を持ち上げてもよい。
【００４８】
天井パネル２を持ち上げると、やがて、天井パネル２の野縁６が野縁受け３間の空間Ｖに入り込むようになる。このとき、天井パネル２の位置が梁間方向において多少ずれていると、図１１に示すように、野縁６の延出方向端部、すなわち野縁側突出部８の上面８ａが野縁受け３の下側角部に当接するようになる。ここで、野縁側突出部８の上面８ａは、前述したように、野縁６の延出方向外側に向かうにつれて下がるように傾斜している。これにより、野縁側突出部８の上面８ａが野縁受け３の下側角部に当接した状態で天井パネル２を持ち上げると、図１１に示すように、天井パネル２が野縁側突出部８の上面８ａにガイドされながら斜め上方に移動するようになる。これにより、天井パネル２は、梁間方向において野縁６が野縁受け３間の空間Ｖに入り込む位置に導かれるようになる。
【００４９】
天井パネル２をさらに持ち上げると、ボード材５の上面が野縁受け３及び横架材４の各々の下面に当接するようになる。この時点での天井パネル２の位置は、桁行方向において野縁６が突出部７からやや離れた位置となっている。
【００５０】
そして、野縁受け３間の空間Ｖ内に野縁６が入り込み、且つ、ボード材５の上面が野縁受け３及び横架材４の各々の下面に当接する位置まで天井パネル２を持ち上げた後、図１２に示すように天井パネル２を桁行方向に沿って水平移動させる（Ｓ００２）。より詳しく説明すると、天井パネル２は、野縁受け３の側端面から空間Ｖの内側に突出した突出部７（厳密には、最寄りの突出部７）に向かって野縁６が移動するように水平移動する。そして、最終的に、天井パネル２は、各突出部７上に野縁６の延出方向端部、すなわち野縁側突出部８が載る位置に至る（Ｓ００３）。つまり、ステップＳ００２、Ｓ００３では、各突出部７上に野縁側突出部８を載せるように天井パネル２を水平移動させる。
【００５１】
なお、本実施形態では、前述したように突出部７の上面７ａが傾斜面となっている。そして、天井パネル２の水平移動に伴って、野縁側突出部８は、図１２及び図１３に示すように、傾斜面である上面７ａのうち、下側にある端（以下、傾斜面下端）に向かう向き、すなわち、図中の矢印の向きに移動する。
【００５２】
天井パネル２の水平移動により、野縁側突出部８は、傾斜面下端の直上位置を通過し、最終的に上面７ａの上に載るようになる。また、本実施形態では、野縁側突出部８の下面８ｂも傾斜面となっている。これにより、野縁側突出部８が突出部７の直上位置を通過する間、野縁側突出部８の下面８ｂと突出部７の上面７ａとの間の距離が徐々に小さくなり、野縁側突出部８が突出部７上に載った状態では、図１３に示すように野縁側突出部８の下面８ｂが突出部７の上面７ａに沿って当該上面７ａと面接触するようになる。換言すると、天井パネル２の水平移動により、野縁側突出部８とボード材５との間の隙間に突出部７が入り込むようになる。これにより、突出部７が楔として機能し、野縁側突出部８が突出部７上に載ってからは、その状態を安定的に維持することが可能となる。
なお、突出部７や野縁側突出部８において実寸法と設計寸法との間の誤差が生じたとしても、突出部７の上面７ａ及び野縁側突出部８の下面８ｂが、ともに傾斜面となっていることで上記の誤差を吸収することが可能である。
【００５３】
以上までのステップにより、各野縁６が野縁受け３間の空間Ｖ内に入り込み、且つ、各野縁６の野縁側突出部８が突出部７上に載るようになる。この状態では、ボード材５の外縁部のうちの側縁部が、空間Ｖを挟む一対の野縁受け３の各々の直下に位置しており、ボード材５の外縁部のうちの前後縁部が、上記一対の野縁受け３同士を連結する横架材４の直下に位置している。すなわち、各野縁６が野縁受け３間の空間Ｖ内に入り込み、且つ、各野縁６の野縁側突出部８が突出部７上に載ることにより、ボード材５の外縁部が野縁受け３や横架材４に締結される位置に至るようになる。
また、天井パネル２は、上記の位置にて仮置きされるようになる。すなわち、野縁側突出部８が突出部７上に載っていることにより、天井パネル２をリフターＬから外したとしても天井パネル２が落下することなく上記の位置にて保持されるようになる。
【００５４】
上述した一連のステップ（すなわち、Ｓ００１〜Ｓ００３）は、天井１を構成する天井パネル２のすべてが敷設される（敷き詰められる）まで繰り返し行われる。その後、図１４に図示のビス打ち機Ｊを用いて、敷設された各天井パネル２のボード材５の下方からボード材５の外縁部の各箇所にビスＢを打ち込む（Ｓ００４）。これにより、各天井パネル２のボード材５の外縁部が野縁受け３や横架材４にビス留め（締結）される。この結果、各天井パネル２が野縁受け３や横架材４によって支持されるようになる。
以上までのステップが終了した時点で天井施工作業が終了する。
【００５５】
以上までに説明してきたように、本実施形態の天井施工作業では、天井パネル２を複数の野縁受け３の各々に支持するために、ボード材５の外縁部を野縁受け３にビス留めする。これに際して、野縁６が野縁受け３間の空間Ｖ内に入り込むように天井パネル２を持ち上げ、且つ、野縁側突出部８が突出部７上に載るように天井パネル２を水平移動させる。これにより、ボード材５の外縁部が野縁受け３や横架材４に締結される位置に至るようになる。つまり、本実施形態の天井施工作業では、上述した天井パネル２の持ち上げ及び水平移動により、ボード材５の外縁部が野縁受け３や横架材４に締結される位置へ適切に導かれ、結果として、天井パネル２が適切に野縁受け３や横架材４によって支持されるようになる。
【符号の説明】
【００５６】
１  天井
２  天井パネル（天井材）
３  野縁受け（支持部材）
４  横架材
５  ボード材
６  野縁（下地材）
７  突出部
７ａ  上面
８  野縁側突出部（下地材側突出部）
８ａ  上面
８ｂ  下面
Ｂ  ビス
Ｊ  ビス打ち機
Ｌ  リフター
Ｖ  空間
【図１】
2019060172.tif 000003
【図２】
2019060172.tif 000004
【図３】
2019060172.tif 000005
【図４】
2019060172.tif 000006
【図５】
2019060172.tif 000007
【図６】
2019060172.tif 000008
【図７】
2019060172.tif 000009
【図８】
2019060172.tif 000010
【図９】
2019060172.tif 000011
【図１０】
2019060172.tif 000012
【図１１】
2019060172.tif 000013
【図１２】
2019060172.tif 000014
【図１３】
2019060172.tif 000015
【図１４】
2019060172.tif 000016